(57)【要約】      （修正有）【課題】ペットボトルにおいて、自分の物と他人の物の区別が出来る様にし、また、再利用したペットボトル容器の中身の確認や日付を分かるようにするペットボトル容器に取り付ける名札を提供する。【解決手段】シリコン板から形成されたペットボトル容器に取り付ける名札であって、一端部にペットボトル容器の飲み口のフランジが挿入可能な丸い穴アを備え、他端部に名前や商品名及び日付を記入することが可能な名前スペースウを設けたことを特徴とする。【選択図】図２
0003194739.tif 000002
【実用新案登録請求の範囲】
【請求項１】
ペットボトル容器の飲み口にシリコンゴムの名前スペースを設けた名札を取付けて、名前や商品名及び日付を記入する事により自分や他人の物の区別ができ、再利用したペットボトル容器にシリコンゴムの名札を装着すれば何が入っているか一目でわかる。
【請求項２】
シリコンゴムの名札はペットボトルの大きさ大小に関係なく装着可能であり、シリコンゴムの性質をいかしペットボトル容器に装着時はシリコンゴムがペットボトル容器に密着するので飲料時の邪魔にならない。
【請求項３】
ホワイトボード用マーカーを使用する事で何度でも書き直しができ、シリコンゴム名札も洗えるので経済的である。
【考案の詳細な説明】
【技術分野】
【０００１】      本考案はペットボトルにシリコンゴムの名札を取付けることで、自分の物と他人の物の区別が出来る様にし、再利用したペットボトル容器にシリコンゴムの名札を付けることにより中身の確認や日付を分かるようにしたものである。
【背景技術】
【０００２】      ペットボトルにラベルを張付け自分の物と他人の物が分かりやすくするための目印を付ける提案がなされている特許文献１、実用新案登録文献１がある。【０００３】      このようにペットボトル容器に最初からラベルが貼り付けられていると、ラベルをひとつひとつ剥がしたり貼り付けたりの作業が大変であり実用新案登録文献１のようにアルファベットを張付けるのはひとつひとつシールを剥がして貼っていく事は子供や高齢者にとっては面倒である。
【先行技術文献】
【特許文献】
【０００４】
【特許文献１】特開２００４−２４４０４５号公報
【実用新案登録文献】
【０００５】
【実用新案登録文献１】
実用新案登録第３０９９４７６号公報
【考案の概要】
【考案が解決しようとする課題】
【０００６】    職場や人が沢山集まるところにおいて同じ銘柄のペットボトルがいくつもあり、いったいどれが自分の物か分からなくなることがしばしばあった。【０００７】    特許文献１については、ペットボトルの容器にラベルに張付けてあるシールを自分用の目印を付けるものであり、実用新案登録文献１は、２枚のシールを貼りつけ１枚目の上に２枚目のアルファベットのシールを張付けるというものであるが、どちらもラベルを剥がし後から張付ける手間がかかるうえペットボトル容器を再利用した時にはそのラベルは使えない。小さい子供や高齢者には細かいシール（ラベル）を剥がしたり貼り付けたりは大変に面倒くさい。【０００８】      そこで簡単に自分の物が分かる方法が無いものか、再利用したペットボトル容器の中身を分かるようにするにはどうすればよいかと考えた時、ペットボトル容器に名前を書けばいいのではないか、しかしラベルの上に名前を書くと分かりにくい。ラベルを剥がして直接ペットボトルに書けばどうだろうか、だがこれでは再利用したペットボトル容器が使えない。
【課題を解決するための手段】
【０００９】      そこで板状のシリコンゴムにペットボトルの飲み口になる首部に入る大きさの丸い穴を先端に開け、その下に名前スペースを設ける。飲み口から名前スペースまでの間のジョイントを小さい湾曲にする事で、ペットボトル容器に装着する際、引っ張ったときの破れやちぎれを防止する。【００１０】      本考案は縦５．５ｃｍ横３．５ｃｍ厚さ１．０ｍｍから１．２ｍｍのシリコンゴムの成型からなり、ペットボトル容器の飲み口にあたる首部に装着する。【００１１】      前述はシリコンゴムの特質を生かし、ペットボトル容器に名札を装着した時にペットボトルとシリコン名札がピタッと密着するように名前スペースを少し小さめにしたものであり、かつ飲用時の妨げにならないようにする事を特徴とする。名前スペースの四隅を丸く面取りペットボトルに装着した時、剥がれ難くする。【００１２】      本考案はホワイトボード用マーカー等のペンを用いる事で名札に名前及び商品名を明記するにあたり何度でも消したり書いたりすることが出来て洗えるため経済的である事を特徴とする。【００１３】      この考案の特徴は、ペットボトル容器のサイズに関係なく小さいものは３５０ｍＬ大きいものは４Ｌまでペットボトルの首部に装着できる。
【考案の効果】
【００１４】      どのようなサイズのペットボトル容器にも対応でき、子供や高齢者でも簡単にシリコンゴムの名札をペットボトル容器に装着できる。シリコンゴムなので伸縮性があり装着時に力もいらない。シリコン名札がペットボトル容器にピタッと密着するように名前スペースを少し小さめで飲用時の妨げにならない。ホワイトボード用マーカーを使用すれば書いたり消したり出来るので職場や集会などで、シリコンゴムの名札を装着すれば自分の物が素早く確認出来た。【００１５】      家庭において使用済みのペットボトル容器を再利用し、ペットボトル容器にシリコン名札を装着させペットボトルの中の商品名及び日付けを記入する事により誰が見てもペットボトルの中身が確認できる。
【図面の簡単な説明】
【００１６】
【図１】      平面図であり（ア）は、ペットボトル容器のフランジに装着するところをシリコンゴムに穴を開けたものである。（イ）は、シリコンゴムに穴を開けた位置から（ウ）の名前スペースまでのジョイントであり小さな湾曲にする事でペットボトル容器に装着する時のちぎれを防止するものである。（ウ）は、名前スペースであり名前や商品名及び日付を明記するのに用いるものである。（エ）は、名前スペースの四隅を丸く面取りした部分である。
【００１７】
【図２】      正面図であり図１のシリコンゴムの名札をペットボトル容器に装着したものである。
【００１８】
【図３】      図２を横から見た側面図で、シリコンゴムの名札がペットボトル容器に装着しているところの物であり、図１の（ウ）の名前スペースがペットボトル容器に密着している事を表したものである。
【考案を実施するための形態】
【００１９】      以下、本考案を実施するための形態について説明する。
厚さ１．０ｍｍから１．２ｍｍの薄いシリコン板にペットボトル容器の飲み口のフランジに入る外形３５ｍｍ内径２５ｍｍの丸い穴を開け、そこから名前及び商品名などを記入する名前用スペースを設けてペットボトルのフランジに差し込むために開けた穴から名前スペースまでの間を０．５ｍｍの小さな湾曲にして名前スペースの四隅を丸く面取りペットボトルに密着し易くした構造である。
【００２０】      これを使用する時はペットボトル容器の飲み口に前述をペットボトルのフランジまで差し込む事で、名前スペースがペットボトルに密着し飲料の時違和感もなく邪魔にならない。字を書く時ホワイトボード用マーカーを使用すれば消すことが出来るので何度でも書き直しが出来る。
【符号の説明】
【００２１】（ア）  ペットボトル容器の飲み口（フランジ）に装着する部分
（イ）  （ア）から（ウ）までのジョイント（短い湾曲にしてちぎれや破れを防止）
（ウ）  名前及び商品名や日付を書くスペース
（エ）  名前スペースの四隅の面取りした部分
【図１】
0003194739.tif 000003
【図２】
0003194739.tif 000004
【図３】
0003194739.tif 000005
【手続補正書】
【提出日】平成26年9月18日(2014.9.18)
【手続補正１】
【補正対象書類名】実用新案登録請求の範囲
【補正対象項目名】全文
【補正方法】変更
【補正の内容】
【実用新案登録請求の範囲】
【請求項１】
シリコン板から形成されたペットボトル容器に取り付ける名札であって、一端部にペットボトル容器の飲み口のフランジが挿入可能な丸い穴を備え、他端部に名前や商品名及び日付を記入することが可能な名前スペースを設けたことを特徴とするペットボトル容器に取り付ける名札。
【請求項２】
前記穴から前記名前スペースまでの間を湾曲させたことを特徴とする請求項１に記載のペットボトル容器に取り付ける名札。